(57)【要約】【課題】カメラの位置（角度）の調整を前面から行うことができ、また、カメラを照明する発光素子をカメラと共に移動させることのできるドアホンを提供する。【解決手段】住戸内に設けられたインターホン親機と接続され、呼出しボタン３１とカメラ４０を有するドアホンにおいて、カメラ４０を搭載したカメラ用プリント基板を駆動する駆動機構を設け、この駆動機構にスライドする駆動レバー５６を設けて、この駆動レバー５６の操作部をドアホンの前面側に設けた。【選択図】        図１
2004304481.tif 000002
【特許請求の範囲】
【請求項１】
住戸内に設けられたインターホン親機と接続され、呼出しボタンとカメラを有するドアホンにおいて、
前記カメラを搭載したカメラ用プリント基板を駆動する駆動機構を設け、該駆動機構にスライドする駆動レバーを取付けて、該駆動レバーの操作部を前記ドアホンの前面側に設けたことを特徴とするドアホン。
【請求項２】
前記カメラ用プリント基板を設けた取付枠に、前記カメラの照明用発光素子を搭載した照明用プリント基板を設けた取付枠を連結し、前記駆動機構によりカメラと共に該照明用プリント基板も駆動させることを特徴とする請求項１記載のドアホン。
【請求項３】
前記呼出しボタンの内側に収納部を設けて該呼出しボタンを開閉可能に形成し、前記収納部内に前記駆動レバーの操作部を設けたことを特徴とする請求項１記載のドアホン。
【請求項４】
前記住戸内に設置した火災感知器が作動したときに点灯する警報用発光素子と、前記カメラの照明用発光素子の前面に設けたリフレクタとを備え、前記警報用発光素子の警報用窓部と前記リフレクタとを一体に形成したことを特徴とする請求項１記載のドアホン。
【請求項５】
住戸内に設けられた住宅情報盤と接続され、呼出しボタンとカメラを有するドアホンにおいて、
前記住戸内に設置した火災感知器が動作したとき又は通電状態に応じて点灯する発光素子と、前記カメラの照明用発光素子の前面側に設けられたリフレクタとを備え、
前記発光素子の警報用通電窓部と前記リフレクタとを一体に形成したことを特徴とするドアホン。
【請求項６】
住戸内に設けられたインターホン親機と接続され、呼出しボタンとカメラを有するドアホンにおいて、
前記カメラを搭載したカメラ用プリント基板を駆動する駆動機構を設け、該カメラ用プリント基板に、前記カメラの照明用発光素子を搭載した照明用プリント基板を連結し、前記駆動機構によりカメラと共に該照明用プリント基板も駆動させることを特徴とするドアホン。
【発明の詳細な説明】
【０００１】
【発明の属する技術分野】
本発明は、住戸の玄関先等に設置されるドアホンに係り、さらに詳しくは、このドアホンにより戸外から屋内に設置された火災感知器の動作試験を行うことができ、また、前面側からカメラの位置（角度）を調整することのできるドアホンに関するものである。
【０００２】
【従来の技術】
従来この種のドアホンに、撮像手段、発光素子、スピーカ、集音マイクその他の電気回路部品を収容する子器本体ケースと、カバー体とを備えたカメラ付きのドアホンがある。
このカメラ付きドアホンは、撮像手段が搭載された回路基板に、ベースに上下に移動可能に設けられた操作片を連結し、この操作片を操作することにより撮像手段のアングルを変えるようにしている（例えば、特許文献１参照）。
【０００３】
【特許文献１】
特開２００１−１８９９２８号公報（第１０頁、図１２）
【０００４】
【発明が解決しようとする課題】
特許文献１に記載の発明は、撮像装置のアングルを子器本体ケースの背面から調整するようになっているため、子器本体ケースを住戸の玄関先等に設置する前に撮像装置のアングルを調整しておかなければならないが、あらかじめ設置場所に対応した撮像装置のアングルを設定するのは面倒である。また、設置後に撮像装置のアングルを変えようとする場合は、子器本体ケースを取外さなければならないため、多くの工数を要しきわめて面倒である。
【０００５】
本発明は上記の課題を解決するためになされたもので、カメラの位置（角度）の調整を前面から行うことができ、また、カメラを照明する発光素子をカメラと共に移動させることのできるドアホンを提供することを目的としたものである。
【０００６】
【課題を解決するための手段】
本発明は、住戸内に設けられたインターホン親機と接続され、呼出しボタンとカメラを有するドアホンにおいて、前記カメラを搭載したカメラ用プリント基板を駆動する駆動機構を設け、該駆動機構にスライドする駆動レバーを取付けて、該駆動レバーの操作部を前記ドアホンの前面側に設けたものである。
【０００７】
また、本発明は、住戸内に設けられた住宅情報盤と接続され、呼出しボタンとカメラを有するドアホンにおいて、前記住戸内に設置した火災感知器が動作したとき又は通電状態に応じて点灯する発光素子と、前記カメラの照明用発光素子の前面側に設けられたリフレクタとを備え、前記発光素子の警報通電用窓部と前記リフレクタとを一体に形成したものである。
【０００８】
また、本発明は、住戸内に設けられたインターホン親機と接続され、呼出しボタンとカメラを有するドアホンにおいて、前記カメラを搭載したカメラ用プリント基板を駆動する駆動機構を設け、該カメラ用プリント基板に、前記カメラの照明用発光素子を搭載した照明用プリント基板を連結し、前記駆動機構によりカメラと共に該照明用プリント基板も駆動させるようにしたものである。
【０００９】
【発明の実施の形態】
図１は本発明の一実施の形態に係るドアホンの呼出しボタンを取外した状態を示す正面図、図２は図１のＡ−Ａ断面図、図３は図１の背面図である。
本体ケース１には、その上下方向のほぼ中央部に、呼出し用ボタンスイッチ６５、火災感知器の試験用端子６６等が収容される断面凹状の収納部２が設けられており、その上部には後述のカメラ４０のレンズカバー４１、リフレクタ６０等が装着され、収納部２の下部には凸条１０と凹条１１が交互に形成されている。なお、図には本体ケース１の背面に装着する裏カバーは省略してある。
【００１０】
収納部２は、図２に示すように、本体ケース１において内側に奥まって設けられ、所定の空間部を有している。収納部２において、３は底部のほぼ中央部に開口する呼出し用ボタンスイッチ６５用の開口部、４は火災感知器の試験用端子６６の取付穴、５は上下方向に複数段の係止部６を有し、カメラ４０の位置を調整する駆動レバー５６の操作部が係止するカメラ位置調整部で、上部縦壁７ｂのカメラ位置調整部５と対向する位置には、駆動レバー５６が挿通される駆動レバー挿通穴８が設けられている。９はカメラ位置調整部５に対向して下部縦壁７ａに設けた切除部である。
【００１１】
１８はカメラ取付部で、撮像用窓１９が設けられており、前面には撮像用窓１９に対応して透明な窓４２を有するレンズカバー４１が装着されている。２０は前面側に装着されたリフレクタ６０を照明する照明用プリント基板の取付部で、リフレクタ６０の照明灯用窓２１と、警報灯・通電灯用窓２２とからなっている。２３ａ，２３ｂは撮像用窓１９の両側において、本体ケース１の背面に立設され、カメラ４０を回動（上下方向に角度を変更）可能に支持するカメラ支持柱で、対向面にはピン２４が突設されている。２５はスピーカの取付部、２６はマイクロホンの取付部である。
【００１２】
図４（ａ）に呼出しボタン３１の正面図を、また、図４（ｂ）に呼出しボタン３１をヒンジ３６によって開放して裏側からみた状態を示す。
呼出しボタン３１は収納部２の開口部を開閉する蓋体を兼ねており、背面のほぼ中央部の呼出し用ボタンスイッチ６５に対応する位置には、呼出し用ボタンスイッチ６５を押圧する操作桿３２が突設されており、下側壁（図４では上側）には、収納部２の下部縦壁７ａに設けた切除部９に対応して切欠き部３３が設けられている。３４は切欠き部３３の近傍において背面側に突設され、後述のスライドつまみ７０を規制する係止部で、係止片３５を有し断面ほぼＬ字状に形成されている。この呼出しボタン３１はヒンジ手段３６により本体ケース１に開閉可能に取付けられ、内側に設けられた収納部２を開閉する。
【００１３】
次に、カメラ４０及びカメラ４０を搭載したカメラ用プリント基板５０を駆動する駆動機構について図５、図６により説明する。４３はカメラ取付台で、断面コ字状で前面板に突設された円筒状のカメラ保持部４５を有するカメラ取付枠４４と、ほぼ額縁状の照明用取付枠４９とを有し、カメラ取付枠４４の側壁の上下に設けた連結腕４８により両者を連結して一体に構成したものである。
４６はカメラ保持枠４５の側壁に突設されたピン、４７ａ，４７ｂはカメラ取付枠４４の両側壁に設けられ、カメラ支持柱２３ａ，２３ｂのピン２４に回動可能に嵌合されるピン穴である（図には、片側のピン穴４７ａのみ示してある）。このピン穴４７ａ，４７ｂ、カメラ支持柱２３ａ，２３ｂ、カメラ取付台４３などによってカメラの駆動機構が構成される。
【００１４】
カメラ取付枠４４には、カメラ４０や制御部（図示せず）等が搭載されたカメラ用プリント基板５０が、カメラ４０をカメラ保持部４５内に挿入して取付けられている。また、照明用取付枠４９には、カメラ４０の照明用発光素子である照明灯５２等が搭載された照明用プリント基板５１が取付けられている。この照明用プリント基板５１は、連結腕４８によってカメラ用プリント基板５０と連結して設けられており、駆動機構によってカメラ４０が駆動される際、カメラ４０と共に駆動されるようになっている。
５５はカメラ４０の操作機構で、上下方向にスライドする駆動レバー５６の一端に設けたピン穴５７がカメラ保持部４５に設けたピン４６に嵌合され、他端には駆動レバー５６と直交して本体ケース１の前面側に設けた操作つまみ５８と、後面側に設けられ、カメラ位置調整部５の係止部６に係止する係止爪５９とからなる操作部が設けられている。
【００１５】
リフレクタ６０は、図７に示すように、下部に設けた両面が平坦な警報用窓部６３と、その上方に設けられ背面側に光を拡散するような加工６２が施されたリフレクタ部６１とを一体に形成したもので、リフレクタ取付部２０の前面側に装着されている。この警報用窓部６３は、火災などの異常警報と通電状態を表示する表示部として機能する。このため、警報用窓部６３のことを警報通電用窓部とも称する。また、警報用窓部６３の背面側にはシボ加工が施されてくもりガラスのようになっており、外側（表面）から発光素子５３ａ，５３ｂが見えにくくしてある。
【００１６】
次に、呼出しボタン３１の開閉を規制するスライドつまみ７０について説明する。
本体ケース１の収納部２の下部縦壁７ａに設けた切除部９の近傍は、図８に示すような構造になっている。すなわち、収納部２の下部前面側には、上下方向に設けた凸条１０と凹条１１が交互に形成されており、切除部９に対応する凸条１０及び凹条１１の上端部（収納部２側）は切除されている。
【００１７】
そして、下部縦壁７ａの内面側（収納部２側）には、ほぼ水平で平坦な縁部１２が設けられており、切除部９の上端部（図８においては下側方向）はこの縁部１２と同一平面に形成されて第１の摺動面１３を形成している。また、この第１の摺動面１３の内面側には段部１４を介してほぼ水平な第２の摺動面１５が形成され、その一端にはストッパ１６が設けられている。１７は段部１４と第２の摺動面１５に亘って設けられた貫通穴である。
【００１８】
スライドつまみ７０は、図９に示すように、前記第１の摺動面１３から凸条１０の上面迄の高さでその幅が凸条１０の幅とほぼ等しく、その長さが凸条１０の切除部の長さとほぼ等しい後部突出部７１、上面が下部縦壁７ａの上面とほぼ等しく、その幅が下部縦壁７ａの切除部９の幅のほぼ３分の２の縦壁７２、及びこの縦壁７２から延設された縦壁７２より低い断面ほぼコ字状のストッパ部７３を有し、後部突出部７１の下面とストッパ部７３の下面の一部は、同一平面に形成されている。
【００１９】
７４はストッパ部７３の先端部（後部突出部７１と反対側）の一方の側面から延設され、高さが前記段部１４の高さとほぼ等しい摺動部、７５はストッパ部７３の先端部より内側において下方（後部突出部７１側）に延設された係止片で、自由端には係止爪７６が設けられており、ストッパ部７３の下面と係止片７５との間には、空間部７７が形成されている。
【００２０】
上記のようなスライドつまみ７０は、図１０に示すように、係止片７５が収納部２の下縁に設けた前記貫通穴１７に挿入され、第１の摺動面１３の下方に設けられた支持板（図示せず）上に位置し、その係止爪７６が支持板に係止して抜けないように、かつ摺動可能に保持される。このとき、後部突出部７１の下面及びストッパ部７３の下面の一部は、第１の摺動面１３上に摺動可能に位置し、摺動部７４の下面は第２の摺動面１５上に摺動可能に位置する。また、後部突出部７１は凸条１０の切除部内に位置し、縦壁７２は下部縦壁７ａの切除部９内に位置する。なお、スライドつみま７０の摺動は、第１の摺動面１３上だけで行わせてもよい。
【００２１】
次に、図１１〜図１３によりスライドつまみ７０の作用を説明する。なお、このスライドつまみ７０は、左右方向に２段階に切り替えるのみであり、図の右側に位置する通常状態時では、呼出しボタン３１が開放するのを規制する。そして、火災感知器の試験時やカメラ４０の位置調整時には、左側に位置するように操作して呼出しボタン３１を開放させる。
図１１は本体ケース１の呼出しボタン３１の部分を正面から見た図で、呼出しボタン３１をほぼ９０°開放した状態を示す。図１１に示すように、呼出しボタン３１を開放した状態で、スライドつまみ７０を第１、第２の摺動面１３，１５に沿って切除部９の図の右方へ移動させる。このとき、後部突出部７１は凸条１０の切除部上に位置する（図１０と同じ状態）。そして、この状態で呼出しボタン３１を閉じると、係止部３４がスライドつまみ７０のストッパ部７３に当って止まり、それ以上閉じることができない。
【００２２】
例えば、住戸内に設置された火災感知器を試験するために、呼出しボタン３１を開放して収納部２に設けた試験用端子６６に試験器を接続して試験を行う場合、試験前、試験後あるいは試験を行っている際に手が当ったりして呼出しボタン３１が閉じられてその操作桿３２が呼出しスイッチボタン６５を押すようなことがあると、必要がないのに住居者を呼出して迷惑をかけることがある。
本発明においては、スライドつまみ７０にある程度の高さを有するストッパ部７３を設けたことで、スライドつまみ７０が右方に位置する場合は、呼出しボタン３１が完全に閉じられない。このため、火災感知器の試験時などの場合、若し呼出しボタン３１が閉じて押圧するようなことがあっても、操作桿３２が呼出し用ボタンスイッチ６５に届かないので呼出し信号を発することがなく、居住者に迷惑をかけることがない。
【００２３】
次に、図１２に示すように、スライドつまみ７０を図の左側に位置させた場合について説明する。スライドつまみを図の左方に移動させると、その摺動部７４がストッパ１６に当たって停止する。このとき、後部突出部７１は凹条１１の切除部内に位置する。
この状態で呼出しボタン３１を閉じると、係止部３４の位置にはスライドつまみ７０のストッパ部７３が存在しないので、所定の状態に閉じることができる。
しかし、スライドつまみ７０が左側に位置する場合においては、係止部３４とストッパ部７３は当たらないが、呼出しボタン３１の切欠き部３３の左側の縁部３３ａとストッパ部７３（左側部分）とが当たる。この状態においては、呼出しボタン３１を押しても、操作桿３２が呼出用ボタンスイッチ６５を押圧できないように、ストッパ部７３の高さは設定されている。
このように呼出しボタン３１の開放時においては、スライドつまみ７０が左右のどちらに位置しても、ストッパ部７３の作用により、操作桿３２が呼出用ボタンスイッチ６５を押せないようになっている。このため火災感知器の点検時などにおいて、誤って呼出用ボタンスイッチ６５が押されることを防止できる。
【００２４】
続いて、スライドスイッチ７０を左側に位置させた状態で、呼出しボタン３１を閉じた場合において、呼出しボタン３１の閉鎖を完全にロックさせる場合について説明する。まず、図１３に示すように、スライドつまみ７０を矢印方向（図１１と同方向）に移動させ、その空間部７７を呼出しボタン３１の係止部３４の係止片３５に係止すれば、呼出しボタン３１はロックされ、開放することができない。
呼出しボタン３１を開放する場合は、図１２に示すように、スライドつまみ７０を左方に移動させれば、係止部３４とスライドつまみ７０とのロックが解除されてフリーになる。このスライドつまみ７０は、後部突出部７１が凸条１０の延長線上の形状をしており、また縦壁７２が下部縦壁７ａにおける切除部９を埋める形状をしているので、外観上はその存在を気付かれにくい。このため、悪戯などによってスライドつまみ７０が操作されるのを防止でき、これにより呼出ボタン３１が勝手に開放されるのをより効果的に防止できる。
なお、スライドつまみ７０を右側に移動させたロック状態においては、スライドつまみ７０と呼出しボタン３１の縁部３３ａとの位置関係は、図１１と同じになるので、縁部３３ａはストッパ部７３に接触しない。つまり、スライドつまみ７０は丁度呼出しボタン３１の切欠き部３３内に位置するので、この状態で呼出しボタン３１を押せばストッパ部７３の規制を受けずに、操作桿３２は呼出ボタン用スイッチ６５を押圧する。
【００２５】
次に、本発明の組立手順の一例について説明する。なお、スライドつまみ７０は本体ケース１の収納部２にあらかじめ装着されており、レンズカバー４１はカメラ取付部１８の前面側に、リフレクタ６０は照明用プリント基板取付部２０の前面側にあらかじめ装着されているものとする。
先ず、カメラ取付台４３のカメラ取付枠４４のカメラ保持部４５内にカメラ４０を挿入し、カメラ用プリント基板５０をカメラ取付枠４４に取付けると共に、照明用取付部４９に照明用プリント基板５１を取付ける。
【００２６】
ついで、カメラ取付台４３を本体ケース１の背面側に位置させ、そのピン孔４７ａ，４７ｂをカメラ支持柱２３ａ，２３ｂのピン２４に回動可能に嵌合する。また、駆動レバー５６の一端に設けたピン孔５７をカメラ保持部４５のピン４６に回動可能に嵌合する。そして、他端に設けた操作つまみ５８側を、収納部２の上部縦壁７ｂに設けた駆動レバー挿通穴８に上方から挿入して、駆動レバー５６の係止爪５９をカメラ位置調整部５の中央の係止部６に係止させる。
【００２７】
これにより、カメラ４０は撮像用窓１９のほぼ中央に位置し、照明用プリント基板５１の照明灯５２はリフレクタ６０の照明用窓２１内に位置する。
また、図示しない主プリント基板を本体ケース１の背面に取付ける。この主プリント基板には、主回路を構成する素子のほか、呼出し用ボタンスイッチ６５、試験用端子６６、警報用発光素子である警報灯５３ａ、通電用発光素子である通電灯５３ｂが設けられている。この主プリント基板を本体ケース１に取付けると、警報灯５３ａ、通電灯５３ｂは警報灯・通電灯用窓２２内に位置する。より詳しく云えば、カメラ４０の照明灯５２の前方にリフレクタ６０のリフレクタ部６１が位置し、警報灯５３ａ、通電灯５３ｂの前方にリフレクタ６０の警報用窓部６３が位置する。
最後にヒンジ手段３６により呼出しボタン３１を収納部２に取付け、本体ケース１の背面に裏カバーを装着する。なお、呼出しボタン３１はあらかじめ収納部２に取付けておいてもよい。
【００２８】
このようにして製造されたドアホンは、例えば、共同住宅の各住戸の玄関先等に設置される。そして、図１４に概要を示すように、カメラ４０、呼出し用ボタンスイッチ６５及び試験用端子６６は信号線８３により、スピーカ及びマイクロホン（共に図示せず）は通話線８４により、それぞれ住戸内に設置されたインターホン親機である住宅情報盤８０に接続され、また、試験用端子６６は信号線８６により住戸内に設置された火災感知器８５に接続される。そして、火災感知器８５の点検などが終ったときは、スライドつまみ７０を右側移動して呼出しボタン３１をロックする（閉じる）。
【００２９】
来訪者が呼出しボタン３１を押して呼出し用ボタンスイッチ６５をＯＮすると、その信号が住宅情報盤８０に送られて呼出し音を発するので、これを知った住居者が住宅情報盤８０に設けたハンドセット８２を取上げれば、来訪者との通話が可能になる。また、呼出しボタン３１の圧下によりカメラ４０が起動し、照明灯５２が点灯してその映像が住宅情報盤８０のモニタ８１に写し出されるので、住居者は来訪者を目で確認することができる。
【００３０】
ところで、ドアホンＤを住戸の玄関先等に設置する場合、一般に、カメラ４０が大人の顔の位置と向い合う位置（以下、標準位置という）になるように取付けられるが、ドアホンＤの設置場所により、標準位置より高い場所あるいは低い場所に取付けることがあり、このような場合は、来訪者の顔がよく写らないことがある。
このような場合、従来は前述のように、ドアホンを取付ける前に背面からカメラ駆動用のレバーを操作し、これに連結されたカメラの角度を変えたのち設置しなければならないため、きわめて面倒であった。
【００３１】
本発明においては、ドアホンＤを玄関先等に設置したのち、呼出しボタン３１を開放してカメラ保持部４５に連結されて収納部２内に位置する駆動レバー５６の操作つまみ５８を持ち、駆動レバー５６を上下方向に移動させ、カメラ取付台４３をカメラ支持柱２３ａ，２３ｂのピン２４を軸に回動させ、カメラ４０をこれに追従させる。
そして、駆動レバー５６の係止爪５９をカメラ位置調整部５の例えば中央の係止部６に係止させれば、カメラ４０は標準位置に保持される。また、駆動レバー５６を下方に引いてその係止爪５９を下部の係止部６に係止させれば、カメラ取付台４３は矢印ｂ方向に回動し（図５参照）、これに追従するカメラ４０は斜め下向き状態（俯角）に保持され、駆動レバー５６を上方に押上げてその係止爪５９を上部の係止部６に係止させれば、カメラ取付台４３は矢印ａ方向に回動し、これに追従するカメラ４０は斜め上向き状態（仰角）に保持される。
【００３２】
このとき、カメラ取付台４３と照明用取付枠４９とは、連結腕４８で連結（接続）されているため、カメラ取付台４３の回動に伴って、照明用プリント基板５１も回動し、これに搭載したリフレクタ６０の照明灯５２をカメラ４０の位置（角度）に対向した方向に指向させるので、被写体に効果的に照明をあてることができる。
【００３３】
このように、本発明によれば、ドアホンＤを取付けたままの状態で前面側からカメラ４０の角度を変えることができ、さらに、リフレクタ６０の照明灯５２をカメラ４０に追従してその位置方向に指向させることができるので、きわめて便利である。なお、上記の説明では、カメラ位置調整部５に上、中、下３段の係止部６を設けた場合を示したが、これに限定するものではなく、係止部６は２段以上の複数段であればよい。
【００３４】
また、若し、住戸内で火災が発生して火災感知器８５が動作して火災信号が発信されると、その火災信号は信号線８６、ドアホンＤ、信号線８３を介して住宅情報盤８０に送られる。住宅情報盤８０はこの火災信号を受けると、火災警報を発し、同時に信号線８３を介してドアホンＤに警報信号を送り、警報灯５３ａを点灯あるいは点滅させると共に、スピーカから火災警報を発する。この際、リフレクタ６０においては、リフレクタ部６１と警報用窓部６３が一体化されているため、リフレクタ部６１も点灯、点滅し、火災警報が出されたことが認識しやすい。また、常時、通電状態に応じて点灯する通電灯５３ｂの点灯も、警報通電用窓部６３のみならず、リフレクタ６１も点灯するので、通電状態が認識しやすい。
次に、火災感知器８５の動作試験を行う場合は、呼出しボタン３１を開放して試験用端子６６に試験器を接続し、試験器に設けた押しボタンを押すことにより、住戸外で火災感知器の試験を行うことができる。
【００３５】
上記のように構成した本発明によれば、次のような効果を得ることができる。
（１）呼出しボタン３１を収納部２の蓋と兼用にしたので火災感知器８５の試験用端子６６の蓋を別途設ける必要がなく、部品点数を減らすことができ、意匠性も向上する。なお、呼出しボタン３１を閉じているときは、呼出しボタン３１の表面と本体ケース１の表面とは、ほぼ同じ平面上に位置する。
（２）スライドつまみ７０を設けて呼出しボタン３１をロックするようにしたので、他人が勝手に呼出しボタン３１を開けるのを防止できる。
（３）火災感知器８５の点検時にスライドつまみ７０を移動することにより、呼出しボタン３１を開放することができる。この際スライドつまみ７０のストッパ部７３の作用により、スライドつまみ７０が左右いずれの位置にあっても呼出しボタン３１を押しても呼出し用スイッチボタン６５がＯＮしないので、居住者に迷惑をかけることがない。
【００３６】
（４）カメラ４０の駆動（角度調整）をドアホンの前面から行えるので、操作が容易である。
（５）カメラ４０の駆動に合わせて照明用発光素子も駆動できるので、被写体に確実に照明をあてることができる。
（６）カメラ４０の駆動レバー５６をドアホンの前面側に設けたが、呼出しボタン３１により目隠しされた状態にあるので、他人が勝手に操作するのを防止できる。
（７）リフレクタ６０はリフレクタ部６１と警報用窓部６３が一体化されており、火災時に警報用発光素子５３ａが点灯するとリフレクタ６０全体が発光するので、火災警報がなされたことを認識し易い。また、この一体化により、部品点数を減らすことができ、意匠性も向上する。
【００３７】
上記の説明では、呼出しボタン３１をヒンジ３６により上方向に開放する場合を示したが、呼出しボタン３１は左右にスライドすることで開閉可能に構成してもよい。また、カメラ４０を上下方向に移動可能としたが、カメラ支持柱２３ａ，２３ｂをカメラ４０の上下方向に設けることで、カメラ４０を左右方向に駆動レバー５６により動かすようにしてもよい。この場合、実施の形態の駆動レバー５６の操作部と同様に、駆動レバー５６を本体ケース１の前面側に設ければよい。
【００３８】
【発明の効果】
本発明は、住戸内に設けられたインターホン親機と接続され、呼出しボタンとカメラを有するドアホンにおいて、カメラを搭載したカメラ用プリント基板を駆動する駆動機構を設け、この駆動機構に上下方向にスライドする駆動レバーを設けて、駆動レバーの操作部をドアホンの前面側に設け、カメラの駆動（角度調整）をドアホンの前面から行うようにしたので、操作がきわめて容易である。
【図面の簡単な説明】
【図１】本発明の一実施の形態に係るドアホンの呼出しボタンを外した状態の正面図である。
【図２】図１のＡ−Ａ断面図である。
【図３】図１の背面図である。
【図４】呼出しボタンの正面図及び背面図である。
【図５】カメラ取付台及びその周辺の斜視図である。
【図６】カメラ取付台の正面図、上面図、側面図及び一部断面図である。
【図７】リフレクタの正面図及びＢ−Ｂ断面図である。
【図８】本体ケースの収納部の要部斜視図である。
【図９】スライドつまみの斜視図及び側面図である。
【図１０】本体ケースの収納部にスライドつまみを装着した状態を示す斜視図である。
【図１１】スライドつまみの作用説明図である。
【図１２】スライドつまみの作用説明図である。
【図１３】スライドつまみの作用説明図である。
【図１４】ドアホンの配線系の概略図である。
【符号の説明】
１  本体ケース、２  収納部、５  カメラ位置調整部、２３ａ，２３ｂ  カメラ支持柱、３１  呼出しボタン、３２  操作桿、３４  係止部、４０  カメラ、４１  レンズカバー、４３  カメラ取付台、４４  カメラ取付枠、４９  リフレクタ取付枠、５０  カメラ用プリント基板、５１  照明用プリント基板、５２  照明灯、５３ａ  警報灯、５３ｂ  通電灯、５５  カメラの操作機構、５６  駆動レバー、６０  リフレクタ、６１  リフレクタ部、６３  警報用窓部、６５  呼出し用ボタンスイッチ、６６  試験用端子、７０  スライドつまみ、７３  ストッパ部、８０  住宅情報盤、８５  火災感知器。
【図１】
2004304481.tif 000003
【図２】
2004304481.tif 000004
【図３】
2004304481.tif 000005
【図４】
2004304481.tif 000006
【図５】
2004304481.tif 000007
【図６】
2004304481.tif 000008
【図７】
2004304481.tif 000009
【図８】
2004304481.tif 000010
【図９】
2004304481.tif 000011
【図１０】
2004304481.tif 000012
【図１１】
2004304481.tif 000013
【図１２】
2004304481.tif 000014
【図１３】
2004304481.tif 000015
【図１４】
2004304481.tif 000016